【事件の表示】
　特許第２９２５６４８号「記録媒体再生装置」の特許に対する特許異議の申立てについて、次のとおり決定する。
【結　論】
　訂正を認める。
　特許第２９２５６４８号の請求項１に係る特許を維持する。
【理　由】
１.手続の経緯
　本件特許第２９２５６４８号の請求項１〜２に係る発明についての出願は、平成２年４月１７日に特許出願され、平成１１年５月７日にこれらの発明について特許権の設定の登録がなされ、その後、本件特許の請求項１に係る発明について特許異議の申立てがなされ、さらに取消理由通知がなされ、その指定期間内である平成１２年６月６日に訂正請求がなされたものである。
　　
２.訂正の適否についての判断
　(1)訂正の内容
　 特許権者が求めている訂正の内容は、次のとおりである。
　 ア.訂正事項(i)
　　願書に添付した明細書(以下、「特許明細書」という。)の請求項１において、「前記記録媒体が挿入されたことを検知する検知手段」を「前記記録媒体
を収納するマガジン
マガジン
マガジン
前記マガジン
　 イ.訂正事項(ii)
　　特許明細書の請求項２において、「前記検知手段が前記記録媒体の挿入を検知しない場合には」を「前記検知手段が前記
マガジン
　 ウ.訂正事項(iii)
　　特許明細書第２頁８〜11行(本件特許公報第2欄10〜11行)において、「記録媒体を収納して記録媒体を再生する」を「記録媒体
を収納するマガジン
　 エ.訂正事項(iv)
　　特許明細書第４頁２〜５行(同公報第3欄25〜27行)において、「ディスクなどの記録媒体を交換したときに」を「ディスクなどの記録媒体
を収納するマガジン
　 オ.訂正事項(v)
　　特許明細書第４頁７〜19行(同公報第3欄29〜38行)において、「記録媒体が挿入されたことを検知する検知手段」を「記録媒体
を収納するマガジン
マガジン
マガジン
マガジン
　 カ.訂正事項(vi)
　　特許明細書第５頁１〜７行(同公報第3欄40〜43行)において、「記録媒体が挿入されたときには」を「記録媒体
を収納するマガジン
　 キ.訂正事項(vii)
　　特許明細書第12頁16行〜第13頁５行(同公報第6欄24〜32行)において、「記録媒体が挿入されたときに」を「記録媒体
を収納するマガジン
を収納するマガジン
を収納するマガジン
を収納するマガジン
　　
　(2)訂正の目的の適否、新規事項の有無及び拡張・変更の存否
　 ア.訂正事項(i)及び(ii)について
　　上記訂正事項(i)及び(ii)は、特許明細書の第２頁８行〜第３頁１行(同公報第2欄10行〜第3欄1行)、第５頁17行〜第６頁５行(同公報第4欄2〜10行)、第６頁末行〜第７頁５行(同公報第4欄24〜28行)、第８頁17行〜第９頁２行(同第5欄5〜9行)、第９頁17行〜第11頁４行(同第5欄22〜45行)、及び第11頁11行〜第12頁14行(同第6欄2〜22行)等の記載を根拠にして、記録媒体とそれを収納するマガジンについて、不明りょうな記載を明りょうにしたものであるから、明りょうでない記載の釈明に該当するものである。
　 イ.訂正事項(iii)〜(vii)について
　　上記訂正事項(iii)〜(vii)は、請求項１及び２の訂正に伴って、特許請求の範囲の記載と発明の詳細な説明の記載との整合を図るものであるから、明りょうでない記載の釈明に該当するものである。
　 そして、上記訂正事項(i)〜(vii)は、いずれも新規事項の追加に該当するものではなく、また実質上特許請求の範囲を拡張し、又は変更するものでもない。
　　
　(3)むすび
　 以上のとおり、上記訂正請求は、特許法第１２０条の４第２項、及び同条第３項において準用する同法第１２６条第２〜３項の規定に適合するものであるから、当該訂正を認める。
　　
３.特許異議の申立てについて
　(1)本件発明
　 訂正明細書の請求項１に係る発明(以下、「本件発明」という。)は、その特許請求の範囲の請求項１に記載された事項により特定される次のとおりのものと認める。
　 「記録媒体を再生する記録媒体再生装置であって、
　 前記記録媒体の自動再生動作をなすプレーヤオンモードを保持する保持手段と、
　 前記プレーヤオンモードを解除する解除手段と、
 　前記記録媒体再生装置に前記記録媒体
を収納するマガジン
 　前記記録媒体の再生を実行する再生手段と、
 　前記記録媒体再生装置から前記
マガジン
 　前記
マガジン
前記マガジン
　
　(2)異議申立ての理由の概要
　 特許異議申立人の主張する異議申立ての理由は、大要次のとおりである。
　 ア.理　由 Ｉ
　　本件特許の請求項１に係る発明は、甲第１号証(特開昭６２−２００５７０号公報)に記載された発明と同一であるか、あるいはこの発明に基づいて当業者が容易に発明をすることができたものであり、また甲第１号証及び甲第２号証(特開昭６３−９８８９３号公報)に記載されたそれぞれの発明に基づいて当業者が容易に発明をすることができたものであり、特許法第２９条第１項第３号又は同条第２項の規定により特許を受けることができないものであるから、この発明についての特許は取り消されるべきである。
　 イ.理　由 II
　　請求項１に係る発明を特定する事項の一部である「前記記録媒体再生装置に前記記録媒体が挿入されたことを検知する検知手段」については、発明の詳細な説明に記載されておらず、また請求項１に係る発明の「プレーヤオンモード」の用語の解釈は、特許請求の範囲と発明の詳細な説明との間に食い違いがあり、特許を受けようとする発明が明確でないから、特許法第３６条第３項及び第４項の要件を満たしていないこととなり、この発明についての特許は取り消されるべきである。
　
　(3)甲号証に記載の発明
　 ア.甲第１号証に記載された発明
　　甲第１号証には、装置本体に設けられたローディング機構部により装填されている磁気ディスクパックの交換後において、モード設定を再度行う必要がない「磁気記録再生装置」に関する発明が記載されており、さらにこの発明について次の事項も記載されている。
　　(i)「バケットに収納された磁気ディスクパックをバケットを開閉することによりスピンドル軸に装填し又は非装填する為のローディング機構部と、該バケット内に収納される磁気ディスクパックが交換されたか否かを検出する状態検出手段と、各種の再生モードを設定する為の入力手段と、前記状態検出手段及び入力手段の出力信号を取り込み、磁気ヘッドより検出される映像信号を再生する再生手段を制御する制御手段とを有し、制御手段は前記入力手段により設定された再生モードを記憶し、磁気ディスクパックが新たに交換された場合には該交換前に記憶されている再生モードにより映像信号を再生するように前記再生手段を制御する…」(2頁右上欄10行〜同左下欄3行)
　　(ii)「次に第１制御装置40により実行される処理ルーチンの内容を第９図に示す。この処理ルーチンは映像信号再生装置10に設けられたローディング機構により装填されている磁気ディスクパックを交換した際に於ける再生モードの設定に関するものであり、磁気ディスクパック交換後においては該磁気ディスク交換前において記録されている再生モードにより再生動作を行うことを内容としている。同図においてこのルーチンの実行が開始されると、第１制御装置40を構成するＣＰＵ、その他各種レジスター類の内容がリセットされると共に、ＲＡＭの内容もクリアーされる(ステップ200、202)。(中略)更にステップ206では再生モードの設定、すなわちタイマー再生モード、トラックNo表示モード、トラックNo非表示モード等の各種の再生モードの内の特定のモードが設定され、次のステップ208では第１制御装置装置40に内蔵されたメモリーにステップ206で設定された再生モードが記憶され、ステップ210に進む。ステップ210ではロードスイッチ60、パックスイッチ62、ホームポジションスイッチ64のすべてがＯＮ状態にあるか否かの判定がなされ、(中略)ステップ212では(中略)初期トラッキング処理が行われる。
　　(iii)「以上に説明したように本発明では(中略)各種の再生モードで映像信号を再生することができるように構成された磁気記録再生装置において、設定された再生モードを記憶し、磁気ディスクパックが新たに交換された場合には該交換前に記憶されている再生モードにより映像信号の再生を続行するように構成したので、本発明によれば磁気ディスクパックを交換する毎にモード設定を再度、行う必要がなくなり、極めて便利である。」(11頁左上欄11行〜同右上欄1行)
　　上記記載をみれば、上記甲第１号証には以下の発明が記載されていることになる。
　　「磁気ディスク(記録媒体)11を再生する磁気記録再生装置(記録媒体再生装置)10であって、
　　各種再生モードを設定する入力手段と、前記入力手段により設定された再生モードを記憶する記憶手段と、
　　前記磁気記録再生装置に前記磁気ディスクを収納する磁気ディスクパック(マガジン)が挿入されたことを検知するパック・スイッチ(検知手段)62と、
　　前記磁気ディスクの再生を実行する再生手段と、
　　前記磁気記録再生装置から前記磁気ディスクパックを装填又は排出するローディング機構部とを有し、
　　前記磁気ディスクパックの排出後、前記パック・スイッチにより前記磁気ディスクパックの挿入を検知し、前記磁気ディスクパックが新たなものと交換された場合には、磁気ディスクパック交換前に設定された再生モードに従って再生動作を行う磁気記録再生装置。」(括弧内には、本件特許の請求項１に係る発明の対応する用語を示した。）
　 イ.甲第２号証に記載された発明
　　甲第２号証には、ディスクを収納した複数組のマガジンを順次プレイヤへ装填、取外しを行いながら、それぞれのマガジンを予定したプログラムに従って再生する場合、マガジンを切換える都度にプログラムの設定を行う必要のない「光ディスクプレイヤの再生方式」に関する発明が記載されており、さらにこの発明について次の事項も記載されている。
　　「以上のようなマガジン別の記憶操作が終了したら、第２図に示されるように、所定の順位に従ってマガジン、あるいは任意のマガジンをプレイヤに装填し（マガジンセット）、前記の記憶操作時に選択した１枚目のディスクをプレイ位置に移動させると（１枚目のディスクセット）、プレイヤはこのディスクのＴＯＣ情報を読込んで、予め前記の操作で格納してある複数のＴＯＣ情報と比較し（メモリ内のＴＯＣ情報と比較）、装填されたマガジンを識別して（マガジン識別）、ＴＯＣ情報と共に記憶してあるプログラムの読出しを行い（メモリされたプログラムの読出し）、スケジュール通りの曲目数を所定の順位で演奏させる（プレイ）。」（2頁右下欄末行〜3頁左上欄13行）
　
　(4)異議申立ての理由についての判断
　 ア.理由Ｉについて
　　本件発明と甲第１号証及び甲第２号証に記載されたそれぞれの発明とを対比すると、甲第１号証及び甲第２号証に記載された発明は、本件発明を特定する事項の一部である以下の構成を具備しておらず、また示唆もしていない。
　　「記録媒体の自動再生動作をなすプレーヤオンモードを保持する保持手段と、前記プレーヤオンモードを解除する解除手段とを有し、
　　マガジンの排出後、検知手段により前記マガジンの挿入を検知し、かつ前記保持手段に前記プレーヤオンモードが保持されている場合には、再生手段により前記記録媒体の再生を実行する点。」
　　そして、本件発明は、上記構成を具備することにより、「記録媒体が挿入されたときにプレーヤオンモードが保持されていれば自動的に再生が開始されるため、ユーザは記録媒体の交換の都度、再生操作を必要としない。又、プレーヤオンモードは、必要に応じてプレーヤオフ指令によって解除することができる。」という明細書に記載の作用・効果を奏するものであるから、本件発明は、上記甲第１号証に記載された発明と同一であるとも、またこの発明に基づいて当業者が容易に発明をすることができたものであるとも云えないばかりでなく、上記甲第１号証及び甲第２号証に記載されたそれぞれの発明に基づいて当業者が容易に発明をすることができたものであるとも云えない。
　　なお、異議申立人は、甲第１号証及び甲第２号証について次のように主張している。
　　甲第１号証には、マガジンの交換を行うと自動的に再生を開始し、再生中のマガジン交換によっても自動再生を保持することにより自動再生を行い、更に、マガジンの交換後一旦再生を終了した後に再度マガジンを挿入すると自動再生を解除しキー入力を待って再生するものが記載されている。(特許異議申立書第7頁6〜8行)また、
　　甲第２号証には、マガジンをプログラム登録すると、マガジンの挿入を検知し、自動的に再生を開始し、プログラムを登録しないと、マガジンの挿入を検知しても自動的に再生を開始せず、プレイキー入力により再生を開始するもの、つまり、プログラム登録したマガジンの挿入で自動再生を行う一方、プログラム登録をしないマガジンの挿入により、敢えて自動再生を行わないものが記載されている。(同書第7頁20〜23行)
　　そこで、上記異議申立人の主張について検討する。
　　上記甲第１号証には、磁気ディスクパックが交換された場合でも交換前に記憶された再生モードに従って再生され、前記磁気ディスクパックを交換する度に再生モードの設定を行う必要がない磁気記録再生装置が記載されているが、異議申立人が主張する「磁気ディスクパック(マガジン)の交換により自動的に再生を開始し、再生中の磁気ディスクパック交換によっても自動再生を保持することにより自動再生を行う」ことについては、記載されているとは云えない。
　　また、上記甲第２号証には、光ディスクを収納するマガジン毎に演奏曲目及び演奏順位のプログラム情報を記憶させることにより、マガジンを交換する度にプログラムの設定を行わなくても、それぞれのマガジンを予定したプログラムに従って再生することができる光ディスクプレイヤの再生方式が記載されているが、異議申立人が主張する「プログラム登録したマガジンの挿入で自動再生を行う」ことについては、記載されているとは云えない。
　　したがって、上記異議申立人の主張は、いずれも申立人にとって都合の良い解釈に基づくものであって、甲第１号証及び甲第２号証に記載された事項によるものではないから、採用することができない。
　 イ.理由IIについて
　　特許明細書の請求項１における「……記録媒体が挿入されたことを検知する検知手段」は、上記２.に記載したとおり、訂正請求により「……記録媒体を収納するマガジンが挿入されたことを検知する検知手段」と訂正された。そして、「マガジンの挿入を検知する」点については発明の詳細な説明の欄に説明されているから、この点に関する異議申立ての理由は解消したものと云える。
　　また、請求項１における「プレーヤオンモード」の用語は、この請求項１の記載をみれば、「記録媒体の自動再生動作をなすモード」と解釈することができる。一方、発明の詳細な説明の欄では、「プレーヤオンモードとは、マガジンが装着されていれば自動的にディスク演奏をなすモードである。」(訂正明細書4頁10〜11行、特許公報第4欄47〜48行参照)と定義されている。してみれば、「プレーヤオンモード」の解釈について、特許請求の範囲と発明の詳細な説明との間に食い違いはみられないから、この点に関する異議申立人の主張は採用することができない。
　
　(5)むすび
　 以上のとおりであるから、特許異議申立ての理由及び証拠によっては、本件発明についての特許を取り消すことはできない。
　また、他に本件発明についての特許を取り消すべき理由を発見しない。
　よって、結論のとおり決定する。
【異議決定日】
平成１２年６月７日（２０００．６．７）
【訂正の要旨】
訂正の要旨
１．請求項１において、「前記記録媒体が挿入されたことを検知する検知手段」を「前記記録媒体
を収納するマガジン
マガジン
マガジン
前記マガジン
２．請求項２において、「前記検知手段が前記記録媒体の挿入を検知しない場合には」を、明りょうでない記載の釈明を目的として、「前記検知手段が前記
マガジン
３．特許明細書第２頁８〜１１行（本件特許公報第２欄１０〜１１行）において、「記録媒体を収納して記録媒体を再生する」を、明りょうでない記載の釈明を目的として、「記録媒体
を収納するマガジン
４．特許明細書第４頁２〜５行（同公報第３欄２５〜２７行）において、「ディスクなどの記録媒体を交換したときに」を、明りょうでない記載の釈明を目的として、「ディスクなどの記録媒体
を収納するマガジン
５．特許明細書第４頁７〜１９行（同公報第３欄２９〜３８行）において、「記録媒体が挿入されたことを検知する検知手段」を「記録媒体
を収納するマガジン
マガジン
マガジン
マガジン
６．特許明細書第５頁１〜７行（同公報第３欄４０〜４３行）において、「記録媒体が挿入されたときには」を、明りょうでない記載の釈明を目的として、「記録媒体
を収納するマガジン
７．特許明細書第１２頁１６行〜第１３頁５行（同公報第６欄２４〜３２行）において、「記録媒体が挿入されたときに」を「記録媒体
を収納するマガジン
を収納するマガジン
を収納するマガジン
を収納するマガジン
（５４）【発明の名称】
　記録媒体再生装置
（５７）【特許請求の範囲】
　【請求項１】記録媒体を再生する記録媒体再生装置であって、
　前記記録媒体の自動再生動作をなすプレーヤオンモードを保持する保持手段と、
　前記プレーヤオンモードを解除する解除手段と、
　前記記録媒体再生装置に前記
記録媒体を収納するマガジン
　前記記録媒体の再生を実行する再生手段と、
　前記記録媒体再生装置から前記
マガジン
　前記
マガジン
前記マガジン
　【請求項２】前記排出手段が排出を行ってから計時を開始する計時手段を更に有し、
　前記計時手段が所定時間を計時しても前記検知手段が前記
マガジン
【発明の詳細な説明】
　技術分野
　本発明は、
記録媒体を収納するマガジン
背景技術
　複数枚（例えば６枚）のＣＤマガジンと称する筐体に収納突出自在に収容して、このマガジンを着脱自在として択一的にＣＤを演奏するいわゆるマガジンディスクプレーヤが知られている。
　かかるマガジンディスクプレーヤを車両の適当な箇所（例えばトランク内）に配設して、車室内からリモートコントロールすることにより複数枚のディスクを択一的に演奏する装置も既に知られている。
　ところで、マガジンディスクプレーヤの動作中にマガジンの交換等のためにイジェクトした後、新たなマガジンを再装着した場合ユーザー操作により再度プレーヤ動作の開始を行わしめる動作指令が必要である。これは、マガジンヘのイジェクト後再度マガジンを装着しただけでプレーヤが演奏動作を開始すれば、例えばユーザーがそのまま車両を離れる場合もあり危険であるからであり、ユーザーが車両内にあってもディスクを演奏せしめる意思のない場合にバッテリーの無用な消費を防ぐためである。
　ところが、マガジンディスクプレーヤも装置自体が小型化し、例えば運転席や助手席の近くのように車室内に装置を設置するユーザーが増加してきている。かかる設置を行った場合、ユーザーは容易にマガジンの交換を行うことが可能である。しかるに、マガジンの交換の都度プレーヤの操作を行わなければならずはなはだ煩雑である。
発明の概要
［発明の目的］
　そこで、本発明は、ディスクなどの
記録媒体を収納するマガジン
［発明の構成］
　本発明による記録媒体再生装置は、記録媒体の自動再生動作をなすプレーヤオンモードを保持する保持手段と、プレーヤオンモードを解除する解除手段と、記録媒体再生装置に
記録媒体を収納するマガジン
マガジン
マガジン
マガジン
［発明の作用］
　本発明による記録媒体再生装置においては、プレーヤオンモードが解除されない限りプレーヤオンモードを保持しておき、
記録媒体を収納するマガジン
実　施　例
　以下、本発明の一実施例を図に基づいて詳細に説明する。
　第１図において、操作部１はシステムコントローラ２、キースイッチ部３、表示部４、通信回路５等により構成されていて、システムコントローラ２はユーザーのキースイッチ部３の操作により動作指令を受け、通信回路５を介して、例えば光ファイバーのような接続部１２を経てプレーヤ部６と情報の授受を行う。プレーヤ部６はプレーヤコントローラ７、イジェクトボタン１１を突設せしめたディスク駆動部８、通信回路９等によって構成されていて、プレーヤコントローラ７は通信回路９を介し接続部１２を経て操作部１と情報の授受を行い、ディスク駆動部８の一連の動作制御を司どると共にイジェクトボタン１１及びディスク駆動部に内設された機構部（図示せず）により着脱自在であるマガジン１０の着脱検出を行なう。
　また、操作部１内の表示部４にはキースイッチ部の操作状態及び情報の授受によって得られたマガジン１０の有無等が表示される。
　以上の構成において、システムコントローラ及びプレーヤコントローラ７の動作を第２図（ａ）、第３図のフローチャートを参照して説明する。
　第２図（ａ）において、電源が投入されると必要な初期設定を行い（ステップＳ１）、プレーヤ部６と通信し情報の授受を行う（ステップＳ２）。この通信の中でプレーヤ部の状態等を認識把握する。続いてキースイッチ部３からのキー入力の有無を判別し（ステップＳ３）、キー入力がなければステップＳ２へ移行し、キー入力があったと判別した場合はキー入力の動作指令がプレーヤオン指令か否かを判別する（ステップＳ４）。プレーヤオンモード指令と判別した場合はマガジン１０が装着されているか否かを判別し（ステップＳ５）、装着されてなければステップＳ２へ移行し、装着されていればプレーヤ部６に対しプレーヤオンコマンドを送出する（ステップＳ６）。続いて表示部４のＣＤオンのインジケータ（図示せず）を点灯する等の操作部１内のＣＤオン処理を行い（ステップＳ７）、ステップＳ２へ移行する。ステップＳ４においてプレーヤオン指令でないと判別した場合は前記動作指令がプレーヤオフ指令か否かを判別し（ステップＳ８）、プレーヤオフ指令でないと判別した場合は他のソース（カセットテープ、ラジオ等）オン指令であるか否かを判別し（ステップＳ１１）、他のソースオン指令でもないと判別した場合はステップＳ２へ移行する。ステップＳ８においてプレーヤオフ指令であったと判別した場合、またはステップＳ１１で他のソースオン指令であったと判別した場合はプレーヤ部６に対しプレーヤオフコマンドを送出し（ステップＳ９）、ＣＤオフ処理を行い（ステップＳ１０）、続いてステップＳ２へ移行する。
　このようにキー入力により一旦プレーヤオン指令を受信するとプレーヤオンモードとなり、プレーヤオフ指令（他のソースオン指令をも含む）がない限りプレーヤオンモードを保持するものである。
　プレーヤオンモードとは、マガジンが装着されていれば自動的にディスク演奏をなすモードである。
　一方、プレーヤ部６のプレーヤコントローラ７は、電源投入後必要な初期設定を行い（ステップＳ３６）、続いて操作部１と通信し情報の授受を行う（ステップＳ１９）。ステップＳ１９で得られた情報の中でコマンドがあるか否かを判別し（ステップＳ２０）、コマンドがあると判別した場合はプレーヤオンコマンドか否かを判断する（ステップＳ２１）。プレーヤオンコマンドの場合はマガジン１０が装着されているか否かを判断し（ステップＳ２２）、装着されている場合は演奏処理を行い（ステップＳ２３）、プレーヤオンモードを示すオンフラッグの値を１とし（ステップＳ２４）、続いてステップＳ２８へ移行する。ステップＳ２１においてプレーヤオンコマンドでないと判別した場合はプレーヤオフコマンドであるか否を判別し（ステップＳ２５）、プレーヤオフコマンドであると判別した場合は演奏停止処理を行い（ステップＳ２６）、オンフラッグの値を０とし（ステップＳ２７）、続いてステップＳ２８へ移行する。ステップＳ２０においてコマンドがないと判別した場合、ステップＳ２２においてマガジン１０が装着されていないと判別した場合、ステップＳ２５においてプレーヤオフコマンドでないと判別した場合はすべてステップＳ２８へ移行する。即ちステップＳ１９からステップＳ２８に至るまでは操作部１の動作指令に応じた、プレーヤコントローラ７の動作を表わしている。
　ステップＳ２８においてマガジン１０の装着を判別し、装着されていると判別した場合は、マガジン内のディスク（図示せず）を演奏中か否かを判別し（ステップＳ２９）、演奏中であればイジェクトボタン１１が操作されたか（イジェクトオンか）否かを判別し（ステップＳ３２）、イジェクトオンでなければステップＳ１９へ移行して、プレーヤオフ指令がない限りプレーヤ部６は演奏を継続する。コントローラ７はイジェクトオン指令を受信すると、イジェクト処理を行った後（ステップＳ３３）、ステップＳ１９へ移行し、通信処理を行う。続いてステップＳ２０においてコマンドがない場合、マガジン再装着されてなければステップＳ２８においてマガジン無しと判別され、マガジンが再挿入されたか否かをディスク駆動部に内設されたマガジン挿入センサー（図示せず）により判別し（ステップＳ３４）、挿入されなければステップＳ１９へ移行し、挿入されたならばローディング処理を行う（ステップＳ３５）。続いてステップＳ１９、ステップＳ２０を経てステップＳ２８においてマガジンが完全に装着されたか否かを判別し、装着されたならば、この場合再装着であるのでステップＳ２９においてまだ演奏中でないと判別する。前記イジェクトオンからステップＳ３０に至るまでプレーヤオフ指令がないとすれば、プレーヤオンモードの状態にありステップＳ３０においてオンフラッグの値は１と判別し、演奏処理を行なう（ステップＳ３１）。
　システムコントローラ２からプレーヤ部７にプレーヤオフコマンドを送出する場合、イジェクトオンから再装着までの時間管理を行っても良く、時間管理の条件を考慮したものを第２図（ｂ）を参照して説明する。第２図（ｂ）はシステムコントローラ２の動作である第２図（ａ）に時間管理ルーチンＲ１を加えたものである。ルーチンＲ１においてプレーヤオンモードであるか否かを判別し（ステップＳ１２）、オンモードであると判別した場合はマガジン１０が装着されているかを判別し（ステップＳ１３）、マガジン１０がないと判別した場合、即ちイジェクトされた場合はシステムコントローラ２内のタイマーが終了（タイムオーバー）しているか否かを判別し（ステップＳ１４）、終了していなければタイマーカウントを行い（ステップＳ１７）キー入力によるプレーヤオフ指令がなければステップＳ２へ移行し、ステップＳ３、ステップＳ１２、ステップＳ１３、ステップＳ１４の循環を繰返し、タイマーカウントを行う。タイマーの終了以前にマガジン１０が装着されれば（装着の情報は通信処理によりプレーヤコントローラからシステムコントローラへ授受される）、ステップＳ１３においてマガジン有と判別され前記タイマーをリセットして（ステップＳ１８）、ステップ２へ移行しプレーヤオフコマンドが送出されることはない。タイマーの終了以前にマガジン１０の装着がなければステップＳ１４においてタイマー終了と判別され、プレーヤオフコマンドが送出され（ステップＳ１５）、ＣＤオフ処理されて（ステップＳ１６）プレーヤオフモードとなる。
発明の効果
　以上説明したように、本発明による記録媒体再生装置においては、
記録媒体を収納するマガジン
記録媒体を収納するマガジン
記録媒体を収納するマガジン
記録媒体を収納するマガジン
【図面の簡単な説明】
　第１図は本発明による車載用マガジンディスクプレーヤの構成を示すシステム図、第２図（ａ）は操作部のコントローラの動作を示すフローチャート、第２図（ｂ）は時間管理を加味した操作部のコントローラの動作を示すフローチャート、第３図はプレーヤ部のコントローラの動きを示すフローチャートである。
主要部分の符号の説明
１……操作部
２……システムコントローラ
３……キースイッチ部
６……プレーヤ部
７……プレーヤコントローラ部
８……ディスク駆動部
１０……マガジン
１１……イジェクトボタン